(57)【要約】【課題】組立時や管理時における取扱性を向上し得る発光装置を提供する。【解決手段】発光装置１は、光源２９と、該光源からの光を入射させる入射面部２１を長手方向一端部に有し、該入射面部からの光を出射する出射面部２２を長手方向に沿う一側面部に有した導光部２０と、該導光部を収容するケース部１０と、を備えており、前記導光部と前記ケース部とは、該導光部の前記出射面部に交差する長手方向に沿う両側の反射面部２４，２４と前記ケース部の内面１７，１７との間に空間を設けるように、前記出射面部の反対側の光拡散部１８ａを介して連結されて一体的に形成されている。【選択図】図１
2014075315.tif 000002
【特許請求の範囲】
【請求項１】
光源と、該光源からの光を入射させる入射面部を長手方向一端部に有し、該入射面部からの光を出射する出射面部を長手方向に沿う一側面部に有した導光部と、該導光部を収容するケース部と、を備えており、
前記導光部と前記ケース部とは、該導光部の前記出射面部に交差する長手方向に沿う両側の反射面部と前記ケース部の内面との間に空間を設けるように、前記出射面部の反対側の光拡散部を介して連結されて一体的に形成されていることを特徴とする発光装置。
【請求項２】
請求項１において、
前記導光部の出射面部の出射方向先側に透光性のカバー部を設けたことを特徴とする発光装置。
【請求項３】
請求項２において、
前記導光部と前記カバー部とは、一体的に形成されていることを特徴とする発光装置。
【請求項４】
請求項３において、
前記導光部と前記カバー部とは、前記出射面部における前記両側の反射面部側の両縁部が連結されてこれら両縁部間の出射面部と前記カバー部との間に隙間が形成されるように一体的に形成されていることを特徴とする発光装置。
【請求項５】
請求項１乃至４のいずれか１項において、
前記ケース部は、厚さ方向一方面を平面状の取付面とした長尺の略帯板状とされ、厚さ方向他方面側から出射するように前記導光部を収容した構造とされていることを特徴とする発光装置。
【請求項６】
請求項１乃至５のいずれか１項において、
前記光源が組み込まれ、前記ケース部の長手方向の少なくとも一端部に取り付けられるエンドキャップを備えていることを特徴とする発光装置。
【発明の詳細な説明】
【技術分野】
【０００１】
本発明は、長尺の導光部を備えた発光装置に関する。
【背景技術】
【０００２】
従来より、長尺の導光体の長手方向一端部の入射面から入射された光を、長手方向に沿って導光し、長手方向に沿う一側面部の出射面から出射する、いわゆるエッジライト方式の発光装置が知られている。
例えば、下記特許文献１には、壁パネル本体の上端部の長手方向に沿って配設され、上方乃至斜め上方に向かって光を照射するための棒状の導光体を備えた照明ユニットが開示されている。この照明ユニットは、導光体の長手方向の一端面の光入射面に対向配置される光源と、これら導光体及び光源を収容するケース部と、を備えた構成とされている。
【先行技術文献】
【特許文献】
【０００３】
【特許文献１】特開２０１０−１２９４７６号公報
【発明の概要】
【発明が解決しようとする課題】
【０００４】
しかしながら、このような導光体を備えた照明ユニットは、導光体やこれを収容するケース部が長尺であることも相俟って、これらの組み立てやこれらを含む部品の管理等が煩雑になるという問題があった。
【０００５】
本発明は、上記実情に鑑みてなされたものであり、組立時や管理時における取扱性を向上し得る発光装置を提供することを目的としている。
【課題を解決するための手段】
【０００６】
上記目的を達成するために、本発明に係る発光装置は、光源と、該光源からの光を入射させる入射面部を長手方向一端部に有し、該入射面部からの光を出射する出射面部を長手方向に沿う一側面部に有した導光部と、該導光部を収容するケース部と、を備えており、前記導光部と前記ケース部とは、該導光部の前記出射面部に交差する長手方向に沿う両側の反射面部と前記ケース部の内面との間に空間を設けるように、前記出射面部の反対側の光拡散部を介して連結されて一体的に形成されていることを特徴とする。
【０００７】
本発明においては、前記導光部の出射面部の出射方向先側に透光性のカバー部を設けてもよい。
また、本発明においては、前記導光部と前記カバー部とを、一体的に形成されたものとしてもよい。
また、本発明においては、前記導光部と前記カバー部とを、前記出射面部における前記両側の反射面部側の両縁部を連結してこれら両縁部間の出射面部と前記カバー部との間に隙間が形成されるように一体的に形成されたものとしてもよい。
また、本発明においては、前記ケース部を、厚さ方向一方面を平面状の取付面とした長尺の略帯板状とし、厚さ方向他方面側から出射するように前記導光部を収容した構造としてもよい。
また、本発明においては、前記光源が組み込まれ、前記ケース部の長手方向の少なくとも一端部に取り付けられるエンドキャップを備えたものとしてもよい。
【発明の効果】
【０００８】
本発明に係る発光装置は、上述のような構成としたことで、組立時や管理時における取扱性を向上させることができる。
【図面の簡単な説明】
【０００９】
【図１】本発明の一実施形態に係る発光装置及び同発光装置の設置構造の一例を模式的に示し、図３におけるＸ−Ｘ線矢視に対応させた概略縦断面図である。
【図２】（ａ）、（ｂ）は、いずれも図３におけるＹ部に対応させた一部破断概略分解斜視図である。
【図３】同発光装置を模式的に示す概略斜視図である。
【発明を実施するための形態】
【００１０】
以下に本発明の実施の形態について、図面に基づいて説明する。
図１〜図３は、本実施形態に係る発光装置の一例及びこの発光装置の設置構造の一例を模式的に示す図である。
なお、一部の図では、他図に付している詳細な符号の一部を省略している。
また、以下の実施形態では、発光装置を設置した状態を基準として、上下方向等の方向を原則的に説明する。
【００１１】
本実施形態に係る発光装置１は、図１及び図２に示すように、光源２９と、この光源２９からの光を入射させる入射面部２１を長手方向一端部に有した長尺状の導光部２０と、この導光部２０を収容するケース部１０と、を備えている。導光部２０は、長手方向に沿う一側面部が入射面部２１からの光を出射する出射面部２２とされ、この出射面部２２に交差する長手方向に沿う両側の側面部が反射面部２４，２４とされている。
また、導光部２０とケース部１０とは、導光部２０の両側の反射面部２４，２４とケース部１０の内面１７，１７との間に空間を設けるように、出射面部２２の反対側の光拡散部１８ａを介して連結されて一体的に形成されている。
また、本実施形態では、図１に示すように、導光部２０の出射面部２２の出射方向先側に透光性のカバー部２５を設けている。本実施形態では、導光部２０とカバー部２５とを、一体的に形成されたものとしている。また、本実施形態では、カバー部２５とケース部１０とを、一体的に形成されたものとしている。つまり、本実施形態では、ケース部１０に、導光部２０及びカバー部２５を一体的に形成している。
【００１２】
ケース部１０は、本実施形態では、厚さ方向一方面を平面状の取付面１３とした長尺の略帯板状とされ、厚さ方向他方面側から出射するように導光部２０を収容した構造とされている。また、ケース部１０は、幅方向一端面が、取付面１３に略直交する平面状の当接面１１とされ、厚さ方向他方面の幅方向一方側部位（当接面１１側部位）が、取付面１３に略平行な平面部１４とされている。また、ケース部１０は、厚さ方向他方面の幅方向他方側部位が、平面部１４との連設部位から幅方向他端に向かうに従い反取付面側に傾斜するように形成された傾斜面部１５とされている。
つまり、本実施形態では、ケース部１０は、幅方向他方側部位を、平面部１４が形成された幅方向一方側部位との連設部位から幅方向他端に向かうに従い厚さ寸法を徐々に大きくするように拡開状に形成し、その厚さ方向他方面を傾斜面部１５とした構造とされている。
【００１３】
また、本実施形態では、傾斜面部１５から出射するように、かつ出射方向が傾斜面部１５に対して略直交方向に指向するように導光部２０をケース部１０内に設けている。図例では、ケース部１０（傾斜面部１５）の幅方向他端部から出射するように導光部２０をケース部１０内に設けた例を示している。
また、本実施形態では、図１に示すように、発光装置１を間接的に照明する照明装置１とし、そのケース部１０の取付面１３を取付対象面３に沿わせ、かつケース部１０の当接面１１を照射対象面２に沿わせて設置した設置構造を例示している。つまり、ケース部１０の当接面１１が沿わされる照射対象面２側に傾斜した方向に出射方向が指向するようにケース部１０内に導光部２０を設けている。このような導光部２０を備えた発光装置１は、ケース部１０の傾斜面部１５から照射対象面２に向けてライン状に概ね一様に出射し、照射対象面２を照射する構成とされている。
【００１４】
このケース部１０の長さ寸法は、取扱性や施工性等の観点から適宜、設定するようにしてもよく、例えば、当該発光装置１を間接照明として、後記するように廻縁状や幅木状に設置する構造とした場合には、一般的な廻縁や幅木等の造作材と同程度の長さ寸法としてもよい。例えば、ケース部１０の長さ寸法を、１０００ｍｍ〜３０００ｍｍ程度としてもよい。また、このケース部１０の幅寸法（図１における上下寸法）は、照射対象面２の照射範囲等や、見栄え上の観点から適宜、設定するようにしてもよく、例えば、一般的な廻縁や幅木等の造作材と同程度の幅寸法としてもよく、５０ｍｍ〜２００ｍｍ程度としてもよい。また、厚さ方向他方面が平面部１４とされた平板状部位（幅方向一方側部位）と厚さ方向他方面が傾斜面部１５とされた拡開状部位（幅方向他方側部位）との幅寸法の比率は、上記同様の観点から適宜、設定するようにしてもよい。例えば、上記平板状部位と上記拡開状部位との幅寸法の比率を、１：０．５〜１：２程度としてもよい。
【００１５】
また、このケース部１０の厚さ寸法は、上記同様の観点から適宜、設定するようにしてもよく、例えば、５ｍｍ〜４０ｍｍ程度としてもよい。また、上記平板状部位の厚さ寸法を、例えば、一般的な廻縁や幅木等の造作材と同程度の厚さ寸法としてもよく、５ｍｍ〜１５ｍｍ程度としてもよい。また、上記平板状部位と上記拡開状部位の最大厚さ部位との厚さ寸法の比率は、上記同様の観点や、導光部２０の寸法や導光部２０を設ける位置等に応じて適宜、設定するようにしてもよく、例えば、１：１．２〜１：３程度としてもよい。
また、このケース部１０の傾斜面部１５の平面部１４に対する傾斜角度（ケース部１０の幅方向他端に平面部を延長させた仮想面と傾斜面部１５とのなす角度）は、上記同様の観点から適宜、設定するようにしてもよい。例えば、この傾斜角度を、５度〜６０度程度、好ましくは、１０度〜３０度程度としてもよい。図例では、傾斜面部１５の平面部１４に対する傾斜角度を、略２０度とした例を示している。この傾斜角度が余りにも小さければ、照射範囲が大きくなる傾向があるが照度が低くなる傾向がある。また、当該発光装置１を間接照明として、後記するように廻縁状や幅木状に設置する構造とした場合に、導光部２０からの出射光が直接的に眼に入り易くなる傾向がある。一方、上記傾斜角度が余りにも大きければ、照射範囲が小さくなる傾向があり、また、拡開状部位（の最大厚さ部位）の厚さ寸法が大きくなる傾向がある。
【００１６】
また、本実施形態では、ケース部１０の幅方向他端面を取付面１３に対して傾斜させた傾斜面１２としている。この傾斜面１２は、傾斜面部１５に対して略直交するように形成されている。このように、ケース部１０の幅方向他端面を取付面１３に対して傾斜させた傾斜面１２とすることで、ケース部１０を効率的に薄く見せることができる。つまり、導光部２０を収容可能なように、図例よりも傾斜面部１５を幅方向他端側に延出させるように大きくし、幅方向他端面を取付面１３に対して略直交するように形成した場合と比べて、ケース部１０を効率的に薄く見せることができる。
【００１７】
また、本実施形態では、傾斜面（幅方向他端面）１２及び傾斜面部１５のそれぞれに、リブ１２ａ，１５ａを設けている。これらリブ１２ａ，１５ａは、ケース部１０の全長に亘って設けられている。
傾斜面１２に設けられたリブ１２ａは、傾斜面部１５との縁部に沿って形成されており、傾斜面１２に対して略直交方向に突出するように設けられている。
傾斜面部１５に設けられたリブ１５ａは、この傾斜面部１５と略同一平面状とされたカバー部２５の幅方向一方側（当接面１１側）縁部に沿って形成されており、傾斜面部１５に対して略直交方向に突出するように設けられている。
このようなリブ１２ａ，１５ａを設けることで、施工現場等において傾斜面１２や平面部１４及び傾斜面部１５に、壁クロス等が貼着される場合には、壁クロスの当り（位置決め）として機能させることができる。なお、これら傾斜面１２及び傾斜面部１５のリブ１２ａ，１５ａの両方または一方を設けないようにしてもよい。
【００１８】
また、このケース部１０には、導光部２０を収容する収容部１６が設けられている。この収容部１６は、当該ケース部１０の全長に亘って中空状に設けられている。
この収容部１６は、当該ケース部１０の概ね幅方向に沿う方向の両側が、導光部２０の両側の反射面部２４，２４のそれぞれに対向状に形成された内面としての両側の側壁部１７，１７によって区画されている。本実施形態では、これら両側の側壁部１７，１７を、傾斜面部１５に対して略直交するように形成している。
また、この収容部１６は、当該ケース部１０の概ね厚さ方向に沿う方向の両側が、導光部２０の出射面部２２の反対側の他側面部２３が連結された底壁部１８とカバー部２５とによって区画されている。本実施形態では、これら底壁部１８及びカバー部２５を傾斜面部１５に対して略平行に形成している。つまり、収容部１６を、ケース部１０の長手方向に見て、略矩形状としている。
【００１９】
また、本実施形態では、導光部２０の他側面部２３が連結された底壁部１８との連結部位を、光拡散部１８ａとしている。この光拡散部１８ａは、当該ケース部１０を、光拡散性の良好な白色系樹脂等の合成樹脂系材料から形成することで構成するようにしてもよい。または、ケース部１０の少なくとも光拡散部１８ａを、光拡散性の良好な合成樹脂系材料から形成し、ケース部１０の他の部位を、他の合成樹脂系材料から形成するようにしてもよい。
【００２０】
また、本実施形態では、ケース部１０に、複数の中空部１９，１９，１９を設けている。これら中空部１９，１９，１９は、当該ケース部１０の全長に亘って設けられている。図例では、厚さ方向他方面が平面部１４とされた平板状部位に単一の中空部１９を設けた例を示している。また、図例では、厚さ方向他方面が傾斜面部１５とされた幅方向他方側部位の収容部１６の平板状部位側（当接面１１側）及び取付面１３側のそれぞれに中空部１９，１９を設けた例を示している。このような中空部１９，１９，１９を設けることで、当該ケース部１０の軽量化及び低コスト化を図ることができる。なお、図例では、各中空部１９，１９，１９及び収容部１６を区画する区画壁の一部の厚さ寸法を他の区画壁の厚さ寸法と異ならせたものとした例を示しているが、これら区画壁の全てを略同厚さ寸法としてもよい。
【００２１】
なお、ケース部１０に、当該発光装置１を取付対象に取り付けるための取付部を設けるようにしてもよい。例えば、取付部として、厚さ方向他方面（平面部１４または傾斜面部１５）において開口し、当該ケース部１０を厚さ方向に貫通する止具挿通孔をケース部１０の長手方向に沿って間隔を空けて複数箇所に設けるようにしてもよい。この場合は、ケース部１０の止具挿通孔を設ける部位を全長に亘って中実状としてもよい。または、厚さ方向他方面（平面部１４または傾斜面部１５）において開口する凹溝をケース部１０の全長に亘って設け、該凹溝の溝底を取付部としてもよい。この場合、該凹溝の溝底に、略Ｖ字状溝等の目印溝を全長に亘って設けるようにしてもよい。その他、種々の取付部の採用が可能である。
【００２２】
導光部２０は、ケース部１０の全長に亘って設けられている。また、本実施形態では、導光部２０の長手方向両端側に、光源２９，２９を備えた光源ユニット２７，２７をそれぞれに配設している（図３参照）。つまり、本実施形態では、導光部２０の長手方向両端部のそれぞれに入射面部２１，２１を設けている。本実施形態では、図２（ａ）に示すように、導光部２０の長手方向両端面を略平坦面とし、入射面部２１，２１としているが、導光部２０の長手方向両端部に、長手方向外方側に向けて先細り状で、かつ外周面が凸湾曲形状とされたレンズ状部を設けるようにしてもよい。そして、このレンズ状部に、長手方向外方側に向けて開口し、光源２９，２９を受け入れる略円柱形状の凹部を設け、該凹部の底面及び内周側面を入射面としてもよい。または、導光部２０の各入射面部２１，２１と各光源２９，２９との間にレンズを設けるようにしてもよい。
【００２３】
また、本実施形態では、導光部２０を、光拡散部１８ａ側の他側面部２３から出射面部２２に向かうに従い拡開状（すり鉢状）のレンズ形状としており、その両側の反射面部２４，２４を、凸湾曲面形状としている。また、図例では、導光部２０の出射面部２２側部位を他側面部２３側部位よりも幅寸法を大きくし、両側の反射面部２４，２４を段差形状とした例を示している。このような構成とすることで、導光部２０の長手方向両端面の入射面部２１，２１を効率的に大きくすることができる。なお、このように反射面部２４，２４を段差形状とした態様に代えて、他側面部２３から出射面部２２に向かうに従い拡開状に一連状に形成された反射面部２４，２４としてもよい。
また、図例では、これら両側の反射面部２４，２４を、ケース部１０の収容部１６の両側の側壁部１７，１７から略等間隔を空けて設けた例を示している。なお、ケース部１０の収容部１６の両側の側壁部１７，１７は、反射面部２４，２４の略全面が各側壁部１７，１７に接触せずに各反射面部２４，２４との間に空間が形成されるように形成すればよく、図例のような平坦面形状に代えて、両側の反射面部２４，２４に応じた形状としてもよい。
【００２４】
また、導光部２０は、これら両側の反射面部２４，２４及び入射面部２１，２１に略交差し、長手方向に沿って形成された一側面部が出射面部２２とされ、この出射面部２２は、ケース部１０の厚さ方向他方面側に位置している。また、この出射面部２２からの出射方向（出射光の光軸）がケース部１０の傾斜面部１５に対して略直交方向となるように設けられている。
また、本実施形態では、この出射面部２２における両側の反射面部２４，２４側の両縁部をカバー部２５に連結して導光部２０とカバー部２５とを一体的に形成されたものとしている。また、本実施形態では、両縁部間の出射面部２２とカバー部２５との間に隙間が形成されるように導光部２０とカバー部２５とを一体的に形成されたものとしている。本実施形態では、出射面部２２を凹湾曲面形状とし、略平板状とされたカバー部２５の裏面２６との間に隙間を設けた例を示している。なお、カバー部２５の裏面２６と両縁部間の出射面部２２との間に隙間を設ける態様としては、このような態様に限られない。例えば、出射面部２２を略平坦面や凸湾曲面形状とし、カバー部２５の裏面２６を出射面部２２との間に隙間が形成されるように、凹湾曲面形状としてもよい。
【００２５】
また、カバー部２５は、その幅方向一方側（当接面１１側）端部がケース部１０の収容部１６を区画する幅方向一方側の側壁部１７に連結され、幅方向他方側（傾斜面１２側）端部が収容部１６を区画する幅方向他方側の側壁部１７に連結されてケース部１０に一体的に形成されている。
また、カバー部２５は、薄平板状とされ、ケース部１０及び導光部２０の全長に亘って設けられている。このように一体的に形成されたケース部１０、導光部２０及びカバー部２５は、長手方向に直交する断面形状が全長に亘って一様な形状とされている。
また、このカバー部２５は、その表面がケース部１０の傾斜面部１５（より特定的にはリブ１５ａが設けられていない部位の傾斜面部１５）と略同一平面状となるように設けられている。
【００２６】
また、図１に示すように、カバー部２５に、導光部２０の出射方向を、照射対象面２側に向けて配光する配光パターンを形成するようにしてもよい。例えば、カバー部２５を経た光が導光部２０の出射面部２２からの出射方向（出射光の光軸）よりも照射対象面２側に指向するような配光パターンを形成するようにしてもよい。このような配光パターンを形成したカバー部２５を設けることで、照射対象面２の取付対象面３近傍部位（図１では壁際）を、より効果的に照射することができる。
【００２７】
また、このカバー部２５は、導光部２０と同一材料から形成されたものとしてもよく、または、導光部２０とは別材料からなる乳白色等に着色された材料や、拡散材等を含有した材料から形成されたものとしてもよい。
また、導光部２０は、アクリル樹脂やポリカーボネート樹脂等の透光性を有した樹脂系材料や透明の樹脂系材料等の屈折率の高い材料から形成されたものとしてもよい。
また、上記のように一体的に形成されたケース部１０、導光部２０及びカバー部２５は、例えば、二色（異材質）押出成形等によって一体的に形成されたものとしてもよい。
【００２８】
なお、導光部２０としては、上記したものに限られず、入射面部２１から入射された光を、光拡散部１８ａや反射面部２４，２４によって反射させ、長手方向に沿って導光し、出射面部２２から出射する、いわゆるエッジライト方式の構造であればよい。
また、当該発光装置１を施工した状態で、少なくとも露出するケース部１０の傾斜面（幅方向他端面）１２や、平面部１４及び傾斜面部１５に、壁クロス等を施工現場において貼着する態様に限られず、化粧シートの貼着や塗装等の表面化粧を施すようにしてもよい。この場合、ケース部１０、導光部２０及びカバー部２５を一体的に形成する際に、化粧シートの貼着がなされたものとしてもよい。
【００２９】
この導光部２０の長手方向両端側に設けられる光源ユニット２７，２７は、略同様の構成とされており、図２（ｂ）に示すように、光源２９，２９を構成する発光素子としてのＬＥＤ（発光ダイオード）等を有した基板２８，２８を備えている。
各基板２８，２８は、薄平板状とされており、厚さ方向を導光部２０の長手方向に沿わせて配設される。これら基板２８，２８の導光部２０側には、光源２９，２９となる発光素子としてのＬＥＤやコネクターなどの電子部品が実装されている。
なお、光源２９としてのＬＥＤとしては、発光素子（ＬＥＤ素子）を樹脂等で封止した砲弾型のものや、チップ形状、その他の形状とされたものとしてもよく、表面実装型のものを採用するようにしてもよい。また、各基板２８，２８に実装される光源２９，２９としてのＬＥＤとしては、単一に限られず、複数としてもよい。また、各基板２８，２８に実装される光源２９，２９としては、ＬＥＤに限られず、他の半導体発光素子や他の発光素子を採用するようにしてもよい。また、各基板２８，２８は、当該基板２８，２８に実装される各種電子部品等からの伝熱性を向上させ、放熱性を向上させる観点等からアルミニウム等の金属系材料から形成されたものとしてもよく、絶縁層等を積層した多層構造としてもよい。
【００３０】
また、本実施形態では、発光装置１は、図３に示すように、ケース部１０の長手方向両端部のそれぞれに取り付けられるエンドキャップ３１，３１を備えている。本実施形態では、これらエンドキャップ３１，３１によってケース部１０の長手方向両側の開口を封止する構造としている。つまり、上記のようにケース部１０、導光部２０及びカバー部２５を一体的に形成し、中空状とされた収容部１６を含むケース部１０の長手方向両側の開口をエンドキャップ３１，３１によって封止する構造としている。このような構成とすることで、収容部１６内への塵埃や湿気等の侵入を抑制することができ、また、導光部２０や、カバー部２５の裏面２６、基板２８，２８等を保護することができる。
【００３１】
また、本実施形態では、少なくとも一方のエンドキャップ３１に、光源２９を組み込んでいる。本実施形態では、導光部２０の長手方向両端部を入射面部２１，２１としており、エンドキャップ３１，３１のそれぞれに光源２９，２９を組み込んでいる。また、本実施形態では、これらエンドキャップ３１，３１のそれぞれに、光源２９，２９を設けた光源ユニット２７，２７を組み込んでいる。
これらエンドキャップ３１，３１は、略同様の構成とされており、図２及び図３に示すように、ケース部１０の長手方向に沿う方向に薄型で、ケース部１０の長手方向に見た外郭形状に応じた形状とされている。
【００３２】
また、エンドキャップ３１には、図２（ｂ）に示すように、ケース部１０に向けて開口する凹所３２が設けられており、この凹所３２に、光源ユニット２７が収容されている。光源ユニット２７は、エンドキャップ３１をケース部１０に取り付けた状態で、その光源２９が導光部２０の入射面部２１に近接対面するようにエンドキャップ３１の凹所３２に収容されている。
なお、エンドキャップ３１への光源ユニット２７の取付態様としては、ねじ等の止具や接着剤等によって取り付けるようにしてもよい。また、エンドキャップ３１に、光源ユニット２７が嵌め込まれる嵌合凹所を設けるようにしてもよい。その他、種々の取付態様の採用が可能である。
【００３３】
また、ケース部１０へのエンドキャップ３１の取付態様としては、ねじ等の止具によって取り付けるようにしてもよい。この場合、ケース部１０に、エンドキャップ３１を取り付けるための取付部を設けるようにしてもよい。例えば、ケース部１０に、長手方向両端面において開口し、ケース部１０の長手方向に貫通して形成された止具孔を取付部として設けるようにしてもよい。または、接着剤等によってエンドキャップ３１をケース部１０に取り付けるようにしてもよい。その他、種々の取付態様の採用が可能である。
【００３４】
上記した各光源ユニット２７，２７への給電は、図２（ａ）に示すように、ケース部１０に設けられた中空部１９に収容された電源ユニット３０を介してなされるものとしてもよい。このようにケース部１０に中空部１９を設けることで、電源ユニット３０や配線を収容させることができる。また、この電源ユニット３０への配線は、ケース部１０の取付面１３及び中空部１９において開口するように配線孔を設け、天井裏や壁内部等を介して配線するようにしてもよい。
また、当該発光装置１のＯＮ／ＯＦＦや調光等をするための操作部等を、当該発光装置１の適所に設けるようにしてもよく、または、取付対象面３の適所に設けるようにしてもよい。さらには、発光装置１の操作部として、無線式（ワイヤレス式）の操作部を備えたものとしてもよい。
【００３５】
次に、上記構成とされた本実施形態に係る発光装置１の設置構造の一例について説明する。
図１では、発光装置１のケース部１０の取付面１３を取付対象面としての壁面３に沿わせ、かつケース部１０の当接面１１を照射対象面としての天井面２に沿わせて廻縁状に設置した設置構造を例示している。この発光装置１の壁面３への取付態様としては、上記したようにケース部１０に取付部としての止具挿通孔等を設け、ねじ等の止具によって取り付けるようにしてもよい。また、このような取付態様に代えて、または加えて、ケース部１０の取付面１３を壁面３に接着剤や粘着テープ等の粘着材によって取り付ける態様としてもよい。
このような設置構造とすることで、発光装置１の傾斜面部１５から出射するように設けられた導光部２０（カバー部２５）から斜め上方の天井面２に向けて出射される。これにより、壁際の天井面２を照射することができ、当該発光装置１を、いわゆるコーブ照明として機能させることができる。
【００３６】
なお、当該発光装置１を、取付対象面としての壁面３の全体（壁幅方向の全幅）に亘って設置するようにしてもよく、または、壁面３に対して部分的に設置するようにしてもよい。また、壁面３の全体に亘って設置する場合には、複数本の発光装置１を長手方向に接続するように隣接させて設置するようにしてもよい。また、発光装置１を、壁面３及びこの壁面３に隣接する壁面に亘って設置する場合には、壁面同士のコーナー部において突合せられる各ケース部１０，１０の長手方向の各端部に取り付けられたエンドキャップ３１，３１をコーナーキャップ状に適宜、変形し、接続するようにしてもよい。または、壁面同士のコーナー部において突合せられる各エンドキャップ３１，３１を、留継状に接合する態様としてもよい。
【００３７】
また、当該発光装置１を、建物内の入隅部に沿って設置する態様としては、上記した設置構造に限られない。
例えば、発光装置１のケース部１０の取付面１３を天井面２に沿わせ、かつケース部１０の当接面１１を壁面３に沿わせて廻縁状に設置する構造としてもよい。これによれば、天井際の壁面３を照射することができ、当該発光装置１を、いわゆるコーニス照明として機能させることができる。
または、発光装置１のケース部１０の取付面１３を壁面３に沿わせ、かつケース部１０の当接面１１を床面に沿わせて幅木状に設置する構造としてもよい。これによれば、壁際の床面を照射することができ、当該発光装置１を、足下照明として機能させることができる。または、発光装置１のケース部１０の取付面１３を床面に沿わせ、かつケース部１０の当接面１１を壁面３に沿わせて設置する構造としてもよい。これによれば、床際の壁面３を照射することができる。
【００３８】
または、発光装置１のケース部１０の取付面１３を、例えば、壁付収納装置等の上面（天板の上面）に沿わせ、かつケース部１０の当接面１１を壁面３に沿わせて設置する構造としもよい。これによれば、収納装置の上面際の壁面３を照射することができる。さらには、例えば、収納装置の下端部に設けられた台輪等の前面を、取付対象面とし、床面を照射対象面とする態様としてもよい。
また、このように床置き型の収納装置の上面や台輪等の前面を取付対象面とした態様に限られない。例えば、壁面３に沿って天井近傍に配設される吊戸棚等の収納装置の下面を取付対象面とし、壁面３を照射対象面とする態様としてもよい。または、吊戸棚等の収納装置の下面を照射対象面とし、壁面３を取付対象面とする態様としてもよい。
【００３９】
本実施形態に係る発光装置１は、上述のような構成としたことで、組立時や管理時における取扱性を向上させることができる。
つまり、光源２９からの光を導光し、長手方向に沿う一側面部の出射面部２２から出射する導光部２０とこれを収容するケース部１０とを光拡散部１８ａを介して連結して一体的に形成している。従って、部品点数や組立工数を削減することができ、組立時や管理時における取扱性を向上させることができる。また、導光部２０とケース部１０とを、押出成形等によって一体的に製造することができ、製造効率を向上させることができ、低コスト化を図ることができる。
また、これら導光部２０とケース部１０とを、導光部２０の出射面部２２に交差する長手方向に沿う両側の反射面部２４，２４とケース部１０の内面（側壁部）１７，１７との間に空間を設けるように、出射面部２２の反対側の光拡散部１８ａを介して連結している。従って、例えば、導光部２０の両側の反射面部２４，２４をケース部１０に接続一体化した場合には、ケース部１０との接触部において導光する光が拡散することが考えられるが、このようなものと比べて、両側の反射面部２４，２４における反射効率（導光効率）を向上させることができる。これにより、導光部２０の出射面部２２からの出射効率を向上させることができる。
【００４０】
また、本実施形態では、導光部２０の出射面部２２の出射方向先側に透光性のカバー部２５を設けているので、導光部２０の出射面部２２への塵埃等の直接的な付着を抑制することができる。これにより、出射面部２２への塵埃等の付着に起因する光の拡散を抑制することができ、出射面部２２から出射される光の指向性を向上させることができる。
また、本実施形態では、導光部２０とカバー部２５とを、一体的に形成しているので、カバー部を別部材とした場合と比べて、部品点数や組立工数を削減することができ、組立時や管理時における取扱性を向上させることができる。また、組立時や管理時等における出射面部２２への塵埃等の付着を抑制することもできる。
【００４１】
また、本実施形態では、導光部２０とカバー部２５とを、出射面部２２における両側の反射面部２４，２４側の両縁部を連結してこれら両縁部間の出射面部２２とカバー部２５との間に隙間を形成するように一体的に形成している。従って、例えば、導光部２０の出射面部２２の幅方向略中央部位や略全面等をカバー部２５に接続一体化した場合には、カバー部２５において出射面部２２からの光が拡散することが考えられるが、このようなものと比べて、出射面部２２から出射される光の指向性を向上させることができる。
【００４２】
また、本実施形態では、導光部２０の長手方向両側に入射面部２１，２１を設け、両入射面部２１，２１のそれぞれに光源２９，２９を対向配置させた構成としている。従って、例えば、光源２９の光を導光部２０の長手方向一端部のみから入射させる発光装置１とした場合と比べて、発光装置１の長手方向他端側における発光不足や、長手方向に沿う発光の不均一等を抑制することができる。
また、本実施形態では、ケース部１０の長手方向の少なくとも一端部に取り付けられるエンドキャップ３１に光源２９を組み込んでいるので、組立工数を削減することができ、組立時や管理時における取扱性をより向上させることができる。
また、本実施形態では、導光部２０の長手方向両側に配置される各光源２９，２９を、ケース部１０の長手方向両端部にそれぞれ取り付けられるエンドキャップ３１，３１に組み込んでいるので、取扱性をより向上させることができる。
【００４３】
また、本実施形態では、ケース部１０を、厚さ方向一方面を平面状の取付面１３とした長尺の略帯板状としているので、取付対象に対して簡易に設置することができる。また、ケース部１０を、その表面側となる厚さ方向他方面（傾斜面部）１５側から出射するように導光部２０を収容した構造としている。従って、上述のように、当該発光装置１を、建物内の入隅部に沿って取付対象としての壁面や天井面、床面等に取り付けることで、取付対象に交差する面を間接照明的に照射することができる。また、当該ケース部１０が長尺の略帯板状とされているので、このように入隅部に沿って設置した場合には、言わば廻縁状または幅木状の外観を呈し、違和感なく設置することができる。また、このように入隅部に沿って設置される場合には、比較的に長尺なものとなるが、本実施形態によれば、上述のように、取扱性を向上させることができるので、好適なものとなる。
【００４４】
また、本実施形態では、出射方向がケース部１０の傾斜面部１５に対して略直交方向に指向するように導光部２０を設けている。従って、上述のように入隅部に沿って設置した場合に、出射光が直接的に眼に入るようなことを抑制しながらも、照射対象面２を効果的に照射することができる。つまり、ケース部１０の幅方向一端面の当接面１１を照射対象面２に沿わせるように設置することで、幅方向他方側部位の傾斜面部１５からの導光部２０の出射光を、照射対象面２に対して比較的に指向性良く、かつ広範囲に亘って照射させることができる。
また、ケース部１０の幅方向一端面の当接面１１を照射対象面２に沿わせるように設置することで、照射対象面２からの導光部２０の位置を規定することができ、所望の照射パターンを言わば定型的に実現することができる。例えば、壁面や天井面等に付設するように照明装置を設ける場合には、照射対象面に対する照明装置の位置決め作業や設計が面倒となることが考えられるが、当該発光装置１によれば、簡易に導光部２０の位置を規定することができる。また、幅方向一方側部位（上記平板状部位）の幅寸法や、傾斜面部１５の幅方向に沿う導光部２０の位置、上記傾斜角度等を変形することで、照射範囲や照度等を容易に変更することもできる。
【００４５】
また、ケース部１０の表面側に平面部１４及び傾斜面部１５を設け、傾斜面部１５から出射するように導光部２０を設けた構造とすることで、ケース部１０の薄型化を図りながらも導光部２０の収納スペースを効率的に設けることができる。
また、本実施形態では、導光部２０を、ケース部１０の幅方向他端部から出射するように設けている。従って、例えば、導光部２０をケース部１０の幅方向途中部位等から出射するように設けた場合と比べて、ケース部１０（つまりは発光装置１自体）の幅寸法を効率的に小さくすることができる。
【００４６】
なお、本実施形態では、ケース部１０の長手方向両端部に、光源２９，２９をそれぞれに組み込んだエンドキャップ３１，３１を取り付けた例を示しているが、このような態様に限られない。ケース部１０の長手方向両側または一方側に、このような光源２９を組み込んだエンドキャップ３１を設けずに、光源ユニット２７を直接的にケース部１０に取り付ける態様としてもよい。この場合は、ケース部１０の収容部１６の開口を、光源ユニット２７によって封止する構造としてもよい。また、この場合は、ケース部１０に、光源ユニット２７を取り付けるための止具挿通孔等の取付部を設けるようにしてもよい。
また、本実施形態では、導光部２０の長手方向両端部に入射面部２１，２１を設け、各入射面部に光源２９，２９を対向配置させた発光装置１を例示しているが、このような態様に限られない。例えば、導光部２０の長手方向一端部のみを入射面部２１とし、その入射面部２１に光源２９を対向配置させた発光装置１としてもよい。この場合は、導光部２０の長手方向他端面を反射部としてもよい。
【００４７】
また、本実施形態では、導光部２０とカバー部２５とを、出射面部２２における両側の反射面部２４，２４側の両縁部を連結してこれら両縁部間の出射面部２２とカバー部２５との間に隙間を形成するように一体的に形成した例を示しているが、このような態様に限られない。例えば、導光部２０の出射面部２２の他の部位や略全面等をカバー部２５に当接させて一体的に形成するようにしてもよく、または、導光部２０とカバー部２５とをこのように接触させたり、連結したりせずに、別体としてもよい。この場合、カバー部２５をケース部１０と一体的に形成されたものとしてもよく、または、カバー部２５をケース部１０とも別体とされたものとしてもよい。
さらには、このようなカバー部２５を設けずに、導光部２０の出射面部２２をケース部１０の厚さ方向他方面（傾斜面部）１５において直接的に露出させた態様としてもよい。この場合は、導光部２０の出射面部２２における両側の反射面部２４，２４側の両縁部をケース部１０に連結した態様としてもよい。
【００４８】
また、本実施形態では、建物内の入隅部に沿って造作材状に設置され、間接照明として好適な発光装置１を例示し、ケース部１０の外郭形状を、上記のような形状とした例を示しているが、上記のような形状に限られない。例えば、厚さ方向他方面側に、傾斜面部１５を設けずに、厚さ方向他方面の略全面を平面部としたり、幅方向他端面を傾斜面１２とせずに、取付面１３に略直交する平面部としたりしてもよい。
また、上記した例では、本実施形態に係る発光装置１を、建物内の入隅部に沿って設置した例を示しているが、当該発光装置１の設置対象としては、上記した例に限られず、種々の設置対象に設置するようにしてもよい。また、本実施形態に係る発光装置１を、間接照明として設置する態様に代えて、直接照明として設置する態様としてもよい。さらには、本実施形態に係る発光装置１を、種々の建材や、家具、装置等に組み込まれるものとしてもよい。このような当該発光装置１の設置対象や設置態様、組み込み対象等に応じて、ケース部１０の外郭形状や、ケース部１０に収容される導光部２０の位置や形状、出射方向等を、変形するようにしてもよい。
【符号の説明】
【００４９】
１        発光装置
１０      ケース部
１３      取付面
１５      傾斜面部（厚さ方向他方面）
１７      側壁部（内面）
１８ａ    光拡散部
２０      導光部
２１      入射面部
２２      出射面部
２４      反射面部
２５      カバー部
２９      光源
３１      エンドキャップ
【図１】
2014075315.tif 000003
【図２】
2014075315.tif 000004
【図３】
2014075315.tif 000005